(57)【要約】【課題】組立てとモニタリングの作業が容易で、かつ大量廃棄を前提に資源保護にも配慮した、主として工場など大規模建築物内部における害虫の生息状況調査のために用いられる害虫捕獲トラップを提供する。【解決手段】本発明にかかるトラップは、一枚の弾力性基板より構成されており、底面側縁部の爪部に上面側縁部を引っ掛けることにより上面は円弧状に形成され、容易に組み立てることができる。また、上面の少なくとも一部が透明又は半透明となっているため、トラップ内部の調査も容易である。トラップは全面を透明又は半透明としてもよい。【選択図】　　　図２
2004049173.tif 000002
【特許請求の範囲】
【請求項１】
板状の弾力性基板を用いた害虫捕獲トラップであって、前記基板は折曲して上面と底面を構成して筒状に成形することが可能であり、底面側の縁部には上面側の縁部を支持する爪部が形成されていることを特徴とする害虫捕獲トラップ。
【請求項２】
前記基板の折曲部は、上面側の縁部に対して底面側の縁部に近い位置に設けられており、底面は平面状で上面は円弧状に形成されることを特徴とする請求項１記載の害虫捕獲トラップ。
【請求項３】
前記弾力性基板は、少なくとも上面の一部が透明又は半透明であることを特徴とする請求項１又は２記載の害虫捕獲トラップ。
【請求項４】
前記弾力性基板は、再生プラスチックであることを特徴とする請求項１乃至３記載の害虫捕獲トラップ。
【発明の詳細な説明】
【０００１】
【発明の属する技術分野】
本発明は、主として工場など大規模建築物内部における害虫の生息状況調査のために用いられる害虫捕獲トラップに関するものである。
【０００２】
【従来の技術】
害虫を捕獲するためのトラップには、その利用目的から害虫の駆除用に用いられるものと、害虫の生息状況の調査用に用いられるものがある。前者は、家庭でゴキブリを駆除するような場合に用いられるが、後者については、食品工場等で昆虫などの生物異物の混入を防止するために、害虫の生息状況調査のための定期的なモニタリング用に広く用いられている。
【０００３】
これらの利用目的の相違により、それぞれのトラップには様々な工夫が施されている。前者の捕獲目的のトラップについては、なるべく多くの害虫をトラップに引き込めるように、害虫の誘引剤を用いたり、害虫の性質に合わせてトラップ内部を薄暗く保つ構造にすることなどが行われている。
【０００４】
一方、後者についてはなる調査におけるモニタリングを容易に行えることが重要になる。この課題に対して、例えば登録実用新案第３０５９３６３号においては、トラップの底部パネルに透明な窓を形成してケースを開かずに捕獲状況を確認できるトラップや、特開２００１−６９８９４においては、透明な材料から構成されて底面の粘着シート部に計測用の格子線を設けたトラップについて開示されている。
【０００５】
【発明が解決しようとする課題】
調査用の害虫捕獲トラップについては、特に工場などの大規模な建築物内部における生息状況を調査する場合には、数百個規模の大量のトラップを設置する必要があることも少なくないため、トラップの組立て、設置、回収、害虫数のカウント、トラップの廃棄、という一連の作業に非常に手間がかかるという課題が生じている。組立てに関しては、板状の基板に折目を設けて折り畳みのみで組み立てられるよう構成したり、上部を両側からひっかける構造にして筒状の形状を形成しやすくすることなどが行われているが、現場での作業負担を十分に軽減するには到っていない。
【０００６】
また、組み立てやすさに加えて、害虫数のカウントについても、登録実用新案第３０５９３６３号の底面を透明にする方式では多くのトラップをひっくり返す作業が必要になるため、大量のトラップをモニタリングする作業負担の軽減という点では十分ではない。
【０００７】
さらに、トラップの廃棄という点について、これらの調査用トラップは使い捨てで利用されているため、大量のトラップが使用後に廃棄処理されており、資源保護の観点からも問題が生じている。
【０００８】
本発明は、このような課題に対応して、組立てとモニタリングの作業が容易で、かつ大量廃棄を前提に資源保護にも配慮した、主として工場など大規模建築物内部における害虫の生息状況調査のために用いられる害虫捕獲トラップを提供することを目的とする。
【０００９】
【課題を解決するための手段】
これらの課題を解決するために、本発明は、板状の弾力性基板を用いた害虫捕獲トラップであって、前記基板は折曲して上面と底面を構成して筒状に成形することが可能であり、底面側の縁部には上面側の縁部を支持する爪部が形成されていることを特徴とする。前記基板の折曲部は、上面側の縁部に対して底面側の縁部に近い位置に設けられており、底面は平面状で上面は円弧状に形成されることを特徴とすることもできる。前記弾力性基板は、少なくとも上面の一部が透明又は半透明であることを特徴としてもよい。
【００１０】
この発明においては、弾力性基板を折り曲げて上面を底面の爪部に引っ掛けることにより、基板の弾力性により筒状構造が形成され、容易にトラップを組み立てることができる。折曲部を上面側の縁部に対して底面側の縁部に近い位置に設けると、上面は円弧状に形成され、組立てが最も容易な形状になる。トラップの内部には粘着部を設けて、害虫を捕獲するよう構成することもできる。
【００１１】
基板の上面の少なくとも一部を透明又は半透明にすることにより、トラップが捕獲中の状態であっても、そのままで害虫のモニタリングを容易に行うことができる。さらに全面を透明又は半透明としてもよく、このように構成すると、裏返して底面からもモニタリングできることに加えて、上面と底面に異なる材料を用いたり一部を着色したりする必要がないので、簡素かつコストの安いトラップとすることができる。
【００１２】
尚、捕獲する「害虫」とは、毒性などを有して実害を生じさせるような昆虫に限られず、異物として混入を防止する必要のある生物一般が含まれる。
【００１３】
また、前記弾力性基板は、再生プラスチックであることを特徴とすることもできる。再生プラスチックを用いると、新たな資源を消費することなくトラップの大量廃棄が可能になる。また、プラスチックは一般に弾力性を有しており、かつ透明又は半透明であることが一般的なため、基板の材料として必要な性質も有している。
【００１４】
【発明の実施の形態】
本発明の好ましい実施の形態について、図面を用いて以下に説明する。図１は、本発明にかかる害虫捕獲トラップの組立て前の形状の一例を示す図である。図２は、本発明にかかる害虫捕獲トラップを組立てた状態の一例を示す図である。図３〜図８は、本発明にかかる害虫捕獲トラップの一例についての、それぞれ正面図、背面図、右側面図、左側面図、平面図、底面図である。
【００１５】
本発明にかかる害虫捕獲トラップは、使用される前は、図１に示す一枚の基板上の状態で扱われる。基板には、弾力性を有するプラスチックやフィルム状の素材が材料として使用されている。上面部１については、組立て後に内部が透視しやすいように少なくとも一部を透明又は半透明とすることが望ましい。また、全面を透明又は半透明の同一素材で形成してもよく、製造の容易さやコスト面を考慮すると、全面を透明又は半透明とすることがより望ましい。底面部２には、トラップ内に入った害虫を捕獲するための粘着部７が設けられている。但し、粘着部７を設ける位置は、この例に限定されるものではない。
【００１６】
前記の基板は、折曲部５を境にして、上面部１と底面部２に分かれており、折曲部５から上面側縁部３までの長さは、折曲部５から底面側縁部４側の折曲部６までの長さより長くなっている。底面側縁部４側には並行して折曲部６が設けられており、ここで折り曲げると、折曲部５を折り曲げて筒状を形成する場合に、底面側縁部４が上面側縁部３を支持する爪部として形成される。
【００１７】
尚、前記の爪部には、基板に予め折り曲げた爪部が形成されていてもよい。また、爪部には別の材料を用いて、例えばクリップ上の止め具を底面側縁部４に配置するなど、折曲部５を折り曲げた後に上面側縁部３を支持することができる構造となっていればよい。
【００１８】
折曲部５を折り曲げて、上面側縁部３を前記の爪部に引っ掛けると、図２のような形状のトラップが形成される。ここでは、折曲部５から上面側縁部３までの長さが折曲部５から底面側縁部４の長さより長くなっており、また基板の材料が弾力性を有しているため、底面部２が平面状であるのに対し、上面部は円弧状になって、筒状の形状に成形される。この形状に成形するためには、折曲部５で折り曲げて、上面側縁部３を爪部に引っ掛けるだけでよいので、作業現場においても、容易にトラップを組立てることができるため、大量のトラップを組立てる作業の効率を、著しく改善することができる。
【００１９】
尚、ここで折曲部５から上面側縁部３までの長さと折曲部５から底面側縁部４側の折曲部６までの長さの比率は、１００対７２から１００対９３程度に設定すると、組立てが最も容易で、かつ害虫を捕獲するために十分な筒状の空間を形成することができる。爪部が折曲により構成されず、前述の例のように別の材料により設けられている場合は、折曲部５から上面側縁部３までの長さと折曲部５から底面側縁部４までの長さの比率を、１００対７２から１００対９３程度に設定すればよい。
【００２０】
図２において、上面部１には、上面開口部８、９が設けられている。このように上面開口部を設けると、筒状の開口部以外の方向から接近しトラップの上面に登った害虫も、ここから入り込んで粘着部において捕獲することができるため、より効率的な捕獲が可能になる。尚、上面開口部の形状、大きさ及び数量は、図２の例に限定されるものではない。
【００２１】
図３〜図８は、図１及び図２の例において示した害虫捕獲トラップの一例を、正投影図法により表したものである。本発明は、ここに示した形状に限定されるものではないことは、図１及び図２についてと同様である。
【００２２】
本発明において、基板に全面透明の材料を用いる場合について、トラップ内部が明るくなるために、ゴキブリのように暗部を好む害虫が捕獲できなる可能性から、紙製など不透明の材料を中心とし、透明材料を使用する場合であっても一部のみを透明とするべきと考えることが一般通念である。しかしながら、両者を対比した室内実験によると、全面透明にした場合でも、不透明なトラップに比べて、捕獲量に殆ど差はないという結果が出た。以下の表１は全面透明のトラップと厚紙製のトラップについて、同一条件下で繰り返し害虫捕獲を試みた実験データであり、全面透明としても害虫捕獲トラップとして十分使用できることが明らかとなっている。
【００２３】
【表１】
2004049173.tif 000003
【００２４】
【発明の効果】
本発明により、主として工場など大規模建築物内部における害虫の生息状況調査において、大量に設置する必要がある害虫捕獲トラップの組立て作業やモニタリング作業の工数を、大幅に削減することができる。
【００２５】
また、大量のトラップを使い捨てで利用して調査後に廃棄することとしても、再生プラスチックの使用により新たな資源の消費を抑制する効果がある。
【図面の簡単な説明】
【図１】本発明にかかる害虫捕獲トラップの組立て前の形状の一例を示す図である。
【図２】本発明にかかる害虫捕獲トラップを組立てた状態の一例を示す図である。
【図３】本発明にかかる害虫捕獲トラップの一例についての正面図である。
【図４】本発明にかかる害虫捕獲トラップの一例についての背面図である。
【図５】本発明にかかる害虫捕獲トラップの一例についての右側面図である。
【図６】本発明にかかる害虫捕獲トラップの一例についての左側面図である。
【図７】本発明にかかる害虫捕獲トラップの一例についての平面図である。
【図８】本発明にかかる害虫捕獲トラップの一例についての底面図である。
【符号の説明】
１　　上面部
２　　底面部
３　　上面側縁部
４　　底面側縁部
５　　折曲部
６　　折曲部
７　　粘着部
８　　上面開口部
９　　上面開口部
【図１】
2004049173.tif 000004
【図２】
2004049173.tif 000005
【図３】
2004049173.tif 000006
【図４】
2004049173.tif 000007
【図５】
2004049173.tif 000008
【図６】
2004049173.tif 000009
【図７】
2004049173.tif 000010
【図８】
2004049173.tif 000011